(57)【特許請求の範囲】
【請求項１】
撮像装置との相対的な位置関係に基づいて前記撮像装置を操作するための表示画面の表示態様を切り替える制御を行う制御部を具備し、
前記制御部は、前記撮像装置が前記表示画面の表示面に装着されているか否かに基づいて前記表示画面の表示態様を切り替える制御を行う
情報処理装置。
【請求項２】
前記制御部は、前記撮像装置を操作するための操作対象物を含む前記表示画面を表示させ、前記撮像装置が前記表示面に装着されているか否かに基づいて前記操作対象物の表示態様を変更する制御を行う請求項１記載の情報処理装置。
【請求項３】
撮像装置のサイズを検出する検出部と、
前記撮像装置が装着されているか否かを前記検出されたサイズに基づいて判断し、当該判断結果に基づいて前記撮像装置を操作するための表示画面の表示態様を切り替える制御を行う制御部と
を具備する情報処理装置。
【請求項４】
無線通信により接続された情報処理装置において行われる操作入力に基づいて撮像動作に関する制御が行われる撮像装置と、前記撮像装置との相対的な位置関係に基づいて前記撮像装置を操作するための表示画面の表示態様を切り替える制御を行う情報処理装置とを具備する撮像システムであって、
前記情報処理装置は、前記撮像装置が前記表示画面の表示面に装着されているか否かに基づいて前記表示画面の表示態様を切り替える制御を行う
撮像システム。
【請求項５】
撮像装置が前記撮像装置を操作するための表示画面の表示面に装着されているか否かに基づいて、制御部が前記表示画面の表示態様を切り替える制御を行う情報処理装置の制御方法。
【請求項６】
撮像装置および情報処理装置の相対的な位置関係に基づいて前記撮像装置を操作するための表示画面の表示態様を切り替える制御をコンピュータに実行させるプログラムであって、
前記撮像装置が前記情報処理装置の表示面に装着されているか否かに基づいて前記表示画面の表示態様が切り替えられる制御をコンピュータに実行させる
プログラム。
【請求項７】
前記情報処理装置に前記撮像装置を操作するための操作対象物を含む前記表示画面を表示させ、前記撮像装置が前記表示面に装着されているか否かに基づいて前記操作対象物の表示態様を変更する制御をコンピュータに実行させる請求項６記載のプログラム。
【請求項８】
前記情報処理装置に前記撮像装置を操作するための操作対象物を含む前記表示画面を表示させ、前記撮像装置が前記表示面に装着されていない場合には、前記情報処理装置の姿勢の変化に基づいて前記操作対象物の表示態様を変更し、前記撮像装置が前記表示面に装着されている場合には、前記情報処理装置の姿勢の変化に基づく前記操作対象物の表示態様の変更を行わない制御をコンピュータに実行させる請求項６または７記載のプログラム。
【発明の詳細な説明】
【技術分野】
【０００１】
本技術は、情報処理装置および撮像装置に関する。詳しくは、撮像動作に関する制御を行う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。【０００６】
ここで、例えば、無線通信を利用して撮像装置を操作することが可能な情報処理装置に、その撮像装置を取り付けて撮像動作を行うことを想定する。この場合には、撮像装置を離れている場所に設置して撮像動作を行う場合と比較して撮像装置および情報処理装置の使用態様が異なることが想定される。このため、撮像装置および情報処理装置を用いて撮像動作を行う場合には、その使用態様に応じて適切なユーザインターフェースを提供することが重要である。【０００７】
本技術はこのような状況に鑑みて生み出されたものであり、装置の使用態様に応じた適切なユーザインターフェースを提供することを目的とする。
【課題を解決するための手段】
【０００８】
本技術は、上述の問題点を解消するためになされたものであり、その第１の側面は、撮像装置との相対的な位置関係に基づいて上記撮像装置を操作するための表示画面の表示態様を切り替える制御を行う制御部を具備する情報処理装置およびその制御方法ならびに当該方法をコンピュータに実行させるプログラムである。これにより、撮像装置との相対的な位置関係に基づいて撮像装置を操作するための表示画面の表示態様を切り替えるという作用をもたらす。【０００９】
また、この第１の側面において、上記制御部は、上記情報処理装置および上記撮像装置間の距離に基づいて上記表示画面の表示態様を切り替える制御を行うようにしてもよい。これにより、情報処理装置および撮像装置間の距離に基づいて表示画面の表示態様を切り替えるという作用をもたらす。【００１０】
また、この第１の側面において、上記制御部は、上記撮像装置が上記情報処理装置に装着されているか否かに基づいて上記表示画面の表示態様を切り替える制御を行うようにしてもよい。これにより、撮像装置が情報処理装置に装着されているか否かに基づいて表示画面の表示態様を切り替えるという作用をもたらす。【００１１】
また、この第１の側面において、上記制御部は、上記撮像装置が上記情報処理装置の表示面に装着されているか否かに基づいて上記表示画面の表示態様を切り替える制御を行うようにしてもよい。これにより、撮像装置が情報処理装置の表示面に装着されているか否かに基づいて表示画面の表示態様を切り替える制御を行うという作用をもたらす。【００１２】
また、この第１の側面において、上記制御部は、上記撮像装置が上記情報処理装置の表示面に装着されている場合には、上記情報処理装置の表示面における上記撮像装置の位置に基づいて上記表示画面の表示態様を切り替える制御を行うようにしてもよい。これにより、撮像装置が情報処理装置の表示面に装着されている場合には、情報処理装置の表示面における撮像装置の位置に基づいて表示画面の表示態様を切り替えるという作用をもたらす。【００１３】
また、この第１の側面において、上記制御部は、上記撮像装置を操作するための操作対象物を含む上記表示画面を表示させ、上記相対的な位置関係に基づいて上記操作対象物の表示態様を変更する制御を行うようにしてもよい。これにより、撮像装置を操作するための操作対象物を含む表示画面を表示させ、相対的な位置関係に基づいて操作対象物の表示態様を変更するという作用をもたらす。【００１４】
また、この第１の側面において、上記制御部は、上記撮像装置を操作するための操作対象物を含む上記表示画面を表示させ、上記撮像装置が上記情報処理装置に装着されていない場合には、上記情報処理装置の姿勢の変化に基づいて上記操作対象物の表示態様を変更し、上記撮像装置が上記情報処理装置に装着されている場合には、上記情報処理装置の姿勢の変化に基づく上記操作対象物の表示態様の変更を行わないように制御を行うようにしてもよい。これにより、撮像装置が情報処理装置に装着されていない場合には、情報処理装置の姿勢の変化に基づいて操作対象物の表示態様を変更し、撮像装置が情報処理装置に装着されている場合には、情報処理装置の姿勢の変化に基づく操作対象物の表示態様の変更を行わないという作用をもたらす。【００１５】
また、本技術の第２の側面は、撮像装置および情報処理装置の相対的な位置関係に基づいて表示態様が切り替えられる表示画面が表示される上記情報処理装置において行われる操作入力に基づいて撮像動作に関する制御を行う制御部を具備する撮像装置およびその制御方法ならびに当該方法をコンピュータに実行させるプログラムである。これにより、撮像装置および情報処理装置の相対的な位置関係に基づいて表示態様が切り替えられる表示画面が表示される情報処理装置において行われる操作入力に基づいて撮像動作に関する制御を行うという作用をもたらす。【００１６】
また、この第２の側面において、上記情報処理装置および上記撮像装置間の距離に基づいて上記表示画面の表示態様が切り替えられるようにしてもよい。これにより、情報処理装置および撮像装置間の距離に基づいて表示画面の表示態様が切り替えられるという作用をもたらす。【００１７】
また、この第２の側面において、上記撮像装置が上記情報処理装置に装着されているか否かに基づいて上記表示画面の表示態様が切り替えられるようにしてもよい。これにより、撮像装置が情報処理装置に装着されているか否かに基づいて表示画面の表示態様が切り替えられるという作用をもたらす。【００１８】
また、この第２の側面において、上記撮像装置が上記情報処理装置の表示面に装着されているか否かに基づいて上記表示画面の表示態様が切り替えられるようにしてもよい。これにより、撮像装置が情報処理装置の表示面に装着されているか否かに基づいて表示画面の表示態様が切り替えられるという作用をもたらす。【００１９】
また、この第２の側面において、上記撮像装置が上記情報処理装置の表示面に装着されている場合には、上記情報処理装置の表示面における上記撮像装置の位置に基づいて上記表示画面の表示態様が切り替えられるようにしてもよい。これにより、撮像装置が情報処理装置の表示面に装着されている場合には、情報処理装置の表示面における撮像装置の位置に基づいて表示画面の表示態様が切り替えられるという作用をもたらす。【００２０】
また、この第２の側面において、上記情報処理装置は、上記撮像装置を操作するための操作対象物を含む上記表示画面を表示させ、上記相対的な位置関係に基づいて上記操作対象物の表示態様を変更するようにしてもよい。これにより、情報処理装置は、撮像装置を操作するための操作対象物を含む表示画面を表示させ、相対的な位置関係に基づいて操作対象物の表示態様を変更するという作用をもたらす。【００２１】
また、この第２の側面において、上記情報処理装置は、上記撮像装置を操作するための操作対象物を含む上記表示画面を表示させ、上記撮像装置が上記情報処理装置に装着されていない場合には、上記情報処理装置の姿勢の変化に基づいて上記操作対象物の表示態様を変更し、上記撮像装置が上記情報処理装置に装着されている場合には、上記情報処理装置の姿勢の変化に基づく上記操作対象物の表示態様の変更を行わないようにしてもよい。これにより、情報処理装置は、撮像装置が情報処理装置に装着されていない場合には、情報処理装置の姿勢の変化に基づいて操作対象物の表示態様を変更し、撮像装置が情報処理装置に装着されている場合には、情報処理装置の姿勢の変化に基づく操作対象物の表示態様の変更を行わないという作用をもたらす。【００２２】
また、本技術の第３の側面は、無線通信を利用して情報処理装置と接続されて上記情報処理装置において行われる操作入力に基づいて撮像動作に関する制御が行われる撮像装置と、上記撮像装置との相対的な位置関係に基づいて上記撮像装置を操作するための表示画面の表示態様を切り替える制御を行う情報処理装置とを具備する撮像システムおよびその制御方法ならびに当該方法をコンピュータに実行させるプログラムである。これにより、撮像装置は、無線通信を利用して情報処理装置と接続されて情報処理装置において行われる操作入力に基づいて撮像動作に関する制御が行われ、情報処理装置は、撮像装置との相対的な位置関係に基づいて撮像装置を操作するための表示画面の表示態様を切り替えるという作用をもたらす。
【発明の効果】
【００２３】
本技術によれば、装置の使用態様に応じた適切なユーザインターフェースを提供することができるという優れた効果を奏し得る。なお、ここに記載された効果は必ずしも限定されるものではなく、本開示中に記載されたいずれかの効果であってもよい。
【図面の簡単な説明】
【００２４】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００を情報処理装置２００に取り付けた場合の外観構成を示す図である。
【図４】本技術の第１の実施の形態における撮像装置１００および情報処理装置２００の機能構成例を示すブロック図である。
【図５】本技術の第１の実施の形態における撮像装置１００および情報処理装置２００の使用例を示す図である。
【図６】本技術の第１の実施の形態における入出力部２４０に表示される表示画面の切替例を示す図である。
【図７】本技術の第１の実施の形態における入出力部２４０に表示される表示画面の表示例を示す図である。
【図８】本技術の第１の実施の形態における入出力部２４０に表示される表示画面の表示例を示す図である。
【図９】本技術の第１の実施の形態における入出力部２４０に表示される表示画面の表示例を示す図である。
【図１０】本技術の第１の実施の形態における情報処理装置２００による表示制御処理の処理手順の一例を示すフローチャートである。
【図１１】本技術の第２の実施の形態における情報処理装置２００による取付位置判定処理の処理手順の一例を示すフローチャートである。
【図１２】本技術の第２の実施の形態における入出力部２４０に表示される表示画面の表示例を示す図である。
【図１３】本技術の第２の実施の形態における入出力部２４０に表示される表示画面の表示例を示す図である。
【図１４】本技術の第２の実施の形態における入出力部２４０に表示される表示画面の表示例を示す図である。
【図１５】本技術の第２の実施の形態における情報処理装置２００による表示制御処理の処理手順の一例を示すフローチャートである。
【図１６】本技術の第３の実施の形態における撮像装置１０１および情報処理装置２００の機能構成例を示すブロック図である。
【図１７】本技術の第３の実施の形態における撮像装置１０１の姿勢と撮像装置１０１により生成される撮像画像との関係例を示す図である。
【図１８】本技術の第３の実施の形態における入出力部２４０に表示されるライブビュー画像および操作対象物の遷移例を示す図である。
【図１９】本技術の第３の実施の形態における入出力部２４０に表示される表示画面の表示例を示す図である。
【図２０】本技術の第３の実施の形態における入出力部２４０に表示される表示画面の表示例を示す図である。
【図２１】本技術の第３の実施の形態における入出力部２４０に表示される表示画面の表示例を示す図である。
【図２２】本技術の第３の実施の形態における情報処理装置２００による表示制御処理の処理手順の一例を示すフローチャートである。
【発明を実施するための形態】
【００２５】
以下、本技術を実施するための形態（以下、実施の形態と称する）について説明する。説明は以下の順序により行う。
１．第１の実施の形態（撮像装置および情報処理装置間の距離に基づいて表示画面の表示態様を切り替える例）
２．第２の実施の形態（撮像装置の取付位置に基づいて表示画面の表示態様を切り替える例）
３．第３の実施の形態（撮像装置および情報処理装置の装着の有無に基づいて、情報処理装置の姿勢の変化に基づく表示態様の切り替えを制御する例）
【００２６】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２７】
また、本技術の実施の形態では、撮像装置１００を、円筒形（円柱形）の撮像装置とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２８】
撮像装置１００は、鏡筒１６０と、取付部材１７１、１７２とを備える。鏡筒１６０は、光学系、撮像系等の各部材を収容するものである。
【００２９】
取付部材１７１、１７２は、撮像装置１００を他の装置（例えば、図２に示す情報処理装置２００）に取り付ける際に用いられるアタッチメントである。例えば、他の装置の形状、サイズに応じて、取付部材１７１を矢印１７３方向に移動させ、取付部材１７２を矢印１７４方向に移動させることにより、撮像装置１００をその装置に取り付けることができる。すなわち、取付部材１７１、１７２は、撮像装置１００を他の装置に固定するためのアタッチメントである。また、撮像装置１００を他の装置に装着する場合のアタッチメント面を装着面１７５（図１のａに示すレンズ側の面の反対側の面）として示す。なお、撮像装置１００を他の装置に取り付ける場合の例を図２、図３に示す。
【００３０】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００３１】
［撮像装置の取付例］
図２および図３は、本技術の第１の実施の形態における撮像装置１００を情報処理装置２００に取り付けた場合の外観構成を示す図である。
【００３２】
図２のａには、情報処理装置２００の一面（入出力部２４０が備えられている面）に撮像装置１００を取り付けた場合の例を示す。図２のｂには、情報処理装置２００の他の面（入出力部２４０が備えられている面の反対側の面）に撮像装置１００を取り付けた場合の例を示す。図３には、情報処理装置２００の他の面（入出力部２４０が備えられている面の反対側の面）に撮像装置１００を取り付けた場合の他の例を示す。
【００３３】
情報処理装置２００は、操作部材２２１乃至２２３と、入出力部２４０と、音声出力部２８０と、発光部２９１と、撮像部２９２とを備える。なお、情報処理装置２００は、例えば、スマートフォン、タブレット端末等の情報処理装置により実現される。
【００３４】
操作部材２２１乃至２２３は、各種の操作入力を行う際に用いられる操作部材である。
【００３５】
入出力部２４０は、各種画像を表示するとともに、入出力部２４０の表示面に近接または接触する物体の検出状態に基づいてユーザからの操作入力を受け付けるものである。
【００３６】
音声出力部２８０は、各種の音声情報を出力するものである。
【００３７】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３８】
撮像部２９２は、被写体を撮像して画像（画像データ）を生成するものである。
【００３９】
図２、図３に示すように、撮像装置１００の取付部材１７１、１７２により情報処理装置２００の本体を挟むことにより、撮像装置１００を情報処理装置２００に固定することができる。
【００４０】
［撮像装置および情報処理装置の機能構成例］
図４は、本技術の第１の実施の形態における撮像装置１００および情報処理装置２００の機能構成例を示すブロック図である。なお、撮像装置１００および情報処理装置２００により構成される撮像システムは、請求の範囲に記載の撮像システムの一例である。
【００４１】
撮像装置１００は、撮像部１１０と、画像処理部１２０と、記憶部１３０と、制御部１４０と、無線通信部１５０とを備える。
【００４２】
撮像部１１０は、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００４３】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４４】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４５】
制御部１４０は、制御プログラムに基づいて撮像装置１００における各部を制御するものである。例えば、制御部１４０は、撮像装置１００に備えられているズームレバーやシャッターボタン等の操作部材（図示せず）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４６】
無線通信部１５０は、無線通信を利用して、他の情報処理装置（例えば、情報処理装置２００）との間で各情報（例えば、制御データ、画像データ）の送受信を行うものである。
【００４７】
ここで、無線通信として、例えば、無線ＬＡＮ（Local Area Network）を用いることができる。この無線ＬＡＮとして、例えば、Ｗｉ−Ｆｉ（Wireless Fidelity）を用いることができる。また、無線通信として、例えば、ＮＦＣ（Near Field Communication）、Ｂｌｕｅｔｏｏｔｈ（登録商標）、赤外線、携帯電波等の無線通信を用いることができる。
【００４８】
また、複数の無線通信方式を用いるようにしてもよい。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００４９】
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００５０】
姿勢検出部２１０は、情報処理装置２００の加速度、動き、傾き等を検出することにより情報処理装置２００の姿勢の変化を検出するものであり、検出された姿勢の変化に関する姿勢情報を制御部２５０に出力する。なお、姿勢検出部２１０として、例えば、ジャイロセンサ、加速度センサ等の各種センサを用いることができる。
【００５１】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２、図３に示す操作部材２２１乃至２２３に対応する。
【００５２】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５３】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５４】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００５５】
例えば、ユーザは表示部２４２に表示されている操作対象物等の接触操作（または、近接操作）を行うことにより情報処理装置２００や撮像装置１００の操作が可能となる。ここで、操作対象物は、例えば、図７のｂに示す操作対象物３０１乃至３０６のように、入出力部２４０に表示されるものであり、操作入力を行うための操作ボタン（ＧＵＩボタン）等である。
【００５６】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００５７】
また、例えば、制御部２５０は、無線通信部２３０を介して情報処理装置２００および撮像装置１００が接続されている場合には、撮像装置１００を操作するための表示画面を入出力部２４０に表示させる。この場合に、制御部２５０は、撮像装置１００との相対的な位置関係に基づいて、撮像装置１００を操作するための表示画面の表示態様を切り替える制御を行う。例えば、制御部２５０は、情報処理装置２００および撮像装置１００間の距離に基づいて表示画面の表示態様を切り替える制御を行う。この場合に、例えば、制御部２５０は、撮像装置１００を操作するための操作対象物（例えば、図７に示す操作対象物３０１乃至３０６）を含む表示画面を表示させ、相対的な位置関係に基づいて操作対象物の表示態様を変更する制御を行う。
【００５８】
また、例えば、制御部２５０は、撮像装置１００が情報処理装置２００に装着されているか否かに基づいて表示画面の表示態様を切り替える制御を行う。この場合に、制御部２５０は、撮像装置１００が入出力部２４０の表示面に装着されているか否かに基づいて表示画面の表示態様を切り替える制御を行う。また、制御部２５０は、撮像装置１００が入出力部２４０の表示面に装着されている場合には、入出力部２４０の表示面における撮像装置１００の位置に基づいて表示画面の表示態様を切り替える制御を行う。なお、撮像装置１００が入出力部２４０の表示面に装着されているか否かに基づいて表示画面の表示態様を切り替える制御については、本技術の第２の実施の形態で示す。
【００５９】
このように、情報処理装置２００において、無線通信を利用して接続される撮像装置１００および情報処理装置２００の相対的な位置関係に基づいて表示画面が切り替えられる。また、撮像装置１００の制御部１４０は、表示画面が表示される情報処理装置２００において行われるその表示画面を用いた操作入力に基づいて撮像動作に関する制御を行う。
【００６０】
画像処理部２６０は、制御部２５０の制御に基づいて、撮像装置１００により生成された画像や撮像部２９２（図２のｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００６１】
記憶部２７０は、制御部２５０の制御に基づいて、各情報を記憶する記録媒体である。例えば、記憶部２７０には、撮像装置１００により生成された画像や撮像部２９２（図２のｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６２】
音声出力部２８０は、制御部２５０の制御に基づいて、音声情報を出力するものである。音声出力部２８０は、例えば、スピーカにより実現することができる。
【００６３】
［撮像装置および情報処理装置の使用例］
図５は、本技術の第１の実施の形態における撮像装置１００および情報処理装置２００の使用例を示す図である。
【００６４】
図５のａには、情報処理装置２００に撮像装置１００を装着して使用する場合の一例を示す。例えば、図２のｂに示すように、情報処理装置２００の一面（入出力部２４０が設けられている面の反対側の面）に撮像装置１００を装着することができる。この場合には、ユーザ４００は、撮像装置１００が装着されている情報処理装置２００を用いて、一般の撮像装置（例えば、一体型カメラ）を使用した撮影と略同様に撮影を行うことができる。
【００６５】
図５のｂには、情報処理装置２００に撮像装置１００を装着せずに使用する場合の一例を示す。例えば、図５のｂに示すように、情報処理装置２００から離れている場所に撮像装置１００を設置することができる。この場合でも、ユーザ４００は、情報処理装置２００を用いて撮像装置１００を遠隔操作することができるため、撮像装置１００および情報処理装置２００を用いた撮影を行うことができる。
【００６６】
ここで、情報処理装置２００に撮像装置１００を装着した場合と、これ以外の場合とでは、情報処理装置２００の使用態様（例えば、持ち方）が異なることが想定される。そこで、本技術の第１の実施の形態では、撮像装置１００および情報処理装置２００間の距離に基づいて表示画面の表示態様を切り替える例を示す。また、本技術の第２の実施の形態では、撮像装置１００の取付位置に基づいて表示画面の表示態様を切り替える例を示す。
【００６７】
［撮像装置および情報処理装置間の距離の取得例］
ここで、撮像装置１００および情報処理装置２００間の距離を取得する方法について説明する。
【００６８】
［受信電波強度を用いた距離の推定例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。
【００６９】
［入出力部を用いた距離の推定例］
例えば、入出力部２４０を用いて撮像装置１００および情報処理装置２００間の距離を推定することができる。ここでは、入出力部２４０として、投影型静電容量方式のタッチパネルを用いる場合を想定する。この場合には、撮像装置１００の情報処理装置２００への装着面１７５（図１のｂに示す）に、投影型静電容量方式のタッチパネルに反応する素材を採用するようにする。この素材は、例えば、導電性シリコンゴムである。
【００７０】
例えば、図２のａに示すように、入出力部２４０の表示面に撮像装置１００を装着した場合には、撮像装置１００の装着面１７５に、上述した素材（例えば、導電性シリコンゴム）が採用されているため、入出力部２４０は、撮像装置１００を検出することができる。この場合に、制御部２５０は、その検出された物体のサイズに基づいて、入出力部２４０の表示面に撮像装置１００が装着されたか否かを判断することができる。例えば、撮像装置１００の装着面１７５のサイズ（表面積）を、記憶部２７０に記憶させておく。そして、制御部２５０は、その検出された物体のサイズと、記憶部２７０に記憶されているサイズとを比較し、これらが一致または略一致するか否かを判断する。ここで、略一致は、例えば、その検出された物体のサイズと、記憶部２７０に記憶されているサイズとの差分値が閾値を基準として小さい場合を意味する。
【００７１】
そして、制御部２５０は、その検出された物体のサイズと、記憶部２７０に記憶されているサイズとが一致または略一致する場合には、入出力部２４０の表示面に撮像装置１００が装着されたと判断することができる。一方、制御部２５０は、その検出された物体のサイズと、記憶部２７０に記憶されているサイズとが一致せず、また、略一致ともならない場合には、入出力部２４０の表示面に撮像装置１００が装着されていないと判断することができる。
【００７２】
また、入出力部２４０は、表示面における撮像装置１００の位置を検出することができる。このため、制御部２５０は、表示面における撮像装置１００の位置に基づいて、表示画面の表示態様を切り替えることができる。この表示画面の切替例については、本技術の第２の実施の形態で示す。
【００７３】
［装着を検出するための部材を用いる例］
例えば、情報処理装置２００に撮像装置１００が装着されたことを検出するための部材を用いて撮像装置１００の装着を検出することができる。その部材として、例えば、撮像装置１００および情報処理装置２００の少なくとも一方にスイッチを設けることができる。
【００７４】
例えば、撮像装置１００にスイッチを設ける場合を想定する。この場合には、情報処理装置２００に撮像装置１００が装着されたときには、そのスイッチによりその装着が検出され、その装着が検出された旨を示す情報が制御部１４０に出力される。そして、その装着が検出された旨を示す情報を取得した場合には、制御部１４０は、その旨を無線通信部１５０を介して情報処理装置２００に送信する。これにより、情報処理装置２００の制御部２５０は、情報処理装置２００に撮像装置１００が装着されたことを検出することができる。
【００７５】
また、例えば、情報処理装置２００にスイッチを設ける場合を想定する。この場合に、情報処理装置２００に撮像装置１００が装着されたときには、そのスイッチによりその装着が検出され、その装着が検出された旨を示す情報が制御部２５０に出力される。これにより、情報処理装置２００の制御部２５０は、情報処理装置２００に撮像装置１００が装着されたことを検出することができる。
【００７６】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。
【００７７】
なお、上述した距離の検出方法や装着の検出方法は、一例であり、これらに限定されるものではなく、他の検出方法を用いるようにしてもよい。
【００７８】
［表示画面の切替例］
図６は、本技術の第１の実施の形態における入出力部２４０に表示される表示画面の切替例を示す図である。図６では、撮像装置１００および情報処理装置２００間の距離が閾値以上となっている場合と、その距離が閾値未満となっている場合との例を示す。
【００７９】
例えば、撮像装置１００および情報処理装置２００間の距離が閾値以上となっている場合には、撮影しながらの頻繁な設定変更は比較的少ないと想定される。このため、入出力部２４０に表示される操作対象物（例えば、操作キー）は最小限に限定してシンプルにすることが好ましい。例えば、図６に示すように、入出力部２４０におけるユーザが操作し易い部分には、シャッターキー、動画撮影キー、ズームキー、メニューキー等を表示することができる。また、それ以外の部分には、各種アイコン等を表示することができる。
【００８０】
ここで、ユーザが操作し易い部分は、例えば、右利きのユーザの場合には、入出力部２４０における右側の領域を意味し、左利きのユーザの場合には、入出力部２４０における左側の領域を意味する。
【００８１】
また、例えば、撮像装置１００および情報処理装置２００間の距離が閾値未満となっている場合（例えば、情報処理装置２００に撮像装置１００が装着されている場合）には、撮影しながらの設定変更が比較的多いと想定される。特に、情報処理装置２００に撮像装置１００が装着されている場合には、ユーザは、左手で、撮像装置１００の鏡筒１６０を支えるか、リング操作やズーム操作を行い、右手で、ボディ操作を行うことが想定される。このため、入出力部２４０には、各種の設定ボタン等の操作対象物を配置することが好ましい。例えば、図６に示すように、入出力部２４０におけるユーザが操作し易い部分には、シャッターキー、各種操作キー等を表示することができる。また、それ以外の部分には、ズームレバー、各種アイコン等を表示することができる。
【００８２】
なお、これらの表示切替例は、一例であり、これら以外の表示切替とするようにしてもよい。以下では、これらの表示切替例を示す。
【００８３】
［表示画面の表示例］
図７乃至図９は、本技術の第１の実施の形態における入出力部２４０に表示される表示画面の表示例を示す図である。
【００８４】
図７乃至図９のａには、撮像装置１００および情報処理装置２００間の距離が閾値以上となっている場合の表示例を示し、図７乃至図９のｂには、撮像装置１００および情報処理装置２００間の距離が閾値未満となっている場合の表示例を示す。
【００８５】
また、図７乃至図９では、撮像装置１００および情報処理装置２００を用いた撮像動作が行われている場合に、撮像装置１００の撮像部１１０により生成された画像がライブビュー画像として入出力部２４０に表示される例を示す。すなわち、撮像装置１００の撮像部１１０により生成された画像が、無線通信部１５０、２３０を介して、情報処理装置２００に順次送信され、その画像がライブビュー画像として入出力部２４０に表示される。なお、図７乃至図９では、山とその前を歩いている犬とを被写体とする画像をライブビュー画像３００、３１０として表示する例を示す。
【００８６】
また、図７乃至図９では、撮像装置１００および情報処理装置２００を用いた撮像動作が行われている場合に、撮像装置１００を操作するための操作対象物を入出力部２４０に表示する例を示す。この操作対象物は、例えば、ライブビュー画像の周り、または、ライブビュー画像に重ねて入出力部２４０に表示される。
【００８７】
［情報処理装置の発光部をオンオフするための操作対象物の表示切替例］
図７には、撮像装置１００および情報処理装置２００間の距離に基づいて、情報処理装置２００の発光部２９１をオンオフするための操作対象物３０１の表示態様を切り替える例を示す。
【００８８】
図７では、ライブビュー画像３００が表示され、ライブビュー画像３００の両側に複数の操作対象物３０１乃至３０６が表示される例を示す。
【００８９】
なお、操作対象物３０１は、情報処理装置２００の発光部２９１のオンオフ操作を行う際に押下される操作対象物である。また、操作対象物３０２は、撮像装置１００の撮影モードを切り替える際に押下される操作対象物である。また、操作対象物３０３は、撮像装置１００のシャッター操作を行う際に押下される操作対象物である。また、操作対象物３０４は、撮像装置１００の各種の設定操作を行う際に押下される操作対象物である。また、操作対象物３０５は、撮像装置１００の露出モードを切り替える際に押下される操作対象物である。また、操作対象物３０６は、撮像装置１００において設定されているシーン情報を表示するための操作対象物である。
【００９０】
例えば、撮像装置１００および情報処理装置２００間の距離が閾値以上となっている場合には、撮像装置１００の撮像対象となっている被写体に、情報処理装置２００の発光部２９１からの光が届かないことが想定される。このため、情報処理装置２００の発光部２９１から出力される光を撮影補助光として使用することは少ないと想定される。そこで、図７のａに示すように、撮像装置１００および情報処理装置２００間の距離が閾値以上となっている場合には、操作対象物３０１を表示させないようにする。
【００９１】
また、例えば、撮像装置１００および情報処理装置２００間の距離が閾値未満となっている場合には、撮像装置１００の撮像対象となっている被写体に、情報処理装置２００の発光部２９１からの光が届くことが想定される。このため、情報処理装置２００の発光部２９１から出力される光を撮影補助光として使用することができるため、情報処理装置２００の発光部２９１を使用することも想定される。そこで、図７のｂに示すように、撮像装置１００および情報処理装置２００間の距離が閾値未満となっている場合には、操作対象物３０１を表示させるようにする。
【００９２】
［ズーム操作を行うための操作対象物の表示切替例］
図８には、撮像装置１００および情報処理装置２００間の距離に基づいて、撮像装置１００のズーム操作を行うための操作対象物３１７の表示態様を切り替える例を示す。
【００９３】
図８では、ライブビュー画像３１０が表示され、ライブビュー画像３１０の両側に複数の操作対象物３１１乃至３１４が表示され、ライブビュー画像３１０に重ねて複数の操作対象物３１５乃至３１７が表示される例を示す。なお、図８では、ユーザが右利きであることを想定して説明する。
【００９４】
なお、操作対象物３１１乃至３１３は、図７に示す操作対象物３０１乃至３０３に対応する。また、操作対象物３１４は、画像の再生を行う際に押下される操作対象物である。また、操作対象物３１５、３１６は、撮像装置１００の各種の設定情報を表示して各設定を変更するための操作対象物である。また、操作対象物３１７は、撮像装置１００のズーム操作を行うための操作対象物である。例えば、操作対象物３１７として、Ｗ（ワイド）ボタン（ワイド側ボタン）およびＴ（テレ）ボタン（テレ側ボタン）が表示される。例えば、ＷボタンまたはＴボタンについてユーザ操作が行われた場合には、制御部２５０は、そのユーザ操作に応じた制御情報を取得し、この制御情報を無線通信部２３０、１５０を介して撮像装置１００の制御部１４０に送信する。この制御情報を受信した場合には、撮像装置１００の制御部１４０は、その受信した制御情報に基づいて撮像部１１０のズームレンズの駆動を制御する。
【００９５】
上述したように、撮像装置１００の本体には、ズーム操作を行うための操作部材（ズームレバー）が備えられている。しかしながら、例えば、撮像装置１００および情報処理装置２００間の距離が閾値以上となっている場合には、撮像装置１００の本体に備えられている操作部材（ズームレバー）にユーザが届かないことも想定される。この場合には、ユーザは、撮像装置１００の本体に備えられている操作部材（ズームレバー）を操作することができない。そこで、図８のａに示すように、撮像装置１００および情報処理装置２００間の距離が閾値以上となっている場合には、ユーザが操作し易い部分（右利きのユーザが操作し易い右側部分）に操作対象物３１７を表示させるようにする。このように、操作対象物３１７を配置することにより、ユーザは右手の親指でズーム操作を容易に行うことができる。
【００９６】
また、例えば、撮像装置１００および情報処理装置２００間の距離が閾値未満となっている場合には、撮像装置１００の本体に備えられている操作部材（ズームレバー）にユーザが届くことが想定される。この場合には、ユーザは、撮像装置１００の本体に備えられている操作部材（ズームレバー）を操作することができる。そこで、図８のｂに示すように、撮像装置１００および情報処理装置２００間の距離が閾値未満となっている場合には、ユーザが操作し易い部分とは異なる部分に操作対象物３１７を表示させるようにする。例えば、操作対象物３１６、３１７の表示位置を入れ替えるようにすることができる。このように、操作対象物３１６を配置することにより、ユーザは右手の親指で撮像装置１００の設定操作を容易に行うことができる。
【００９７】
［撮像装置の各種操作を行うための操作対象物の表示切替例］
図９には、撮像装置１００および情報処理装置２００間の距離に基づいて、撮像装置１００の各種操作を行うための操作対象物３２１乃至３２７の表示態様を切り替える例を示す。
【００９８】
図９のａは、図８のａと同様である。また、図９のｂに示す操作対象物３２１乃至３２６は、例えば、一般の撮像装置（例えば、一体型カメラ）の背面側（レンズ側の反対側）に設けられている各操作部材に対応する操作対象物である。
【００９９】
例えば、操作対象物３２１は、撮像装置１００のシャッター操作を行う際に押下される操作対象物である。また、操作対象物３２２は、なぞる操作を行う際に用いられる操作対象物である。操作対象物３２２は、例えば、モードダイヤルに相当するものであり、モードダイヤルのように、操作対象物３２２を左右方向に移動する操作（なぞる操作）を行うことにより、各種操作を行うことができる。
【０１００】
また、操作対象物３２３は、撮像装置１００の動画記録を開始する操作を行う際に押下される操作対象物である。操作対象物３２３は、例えば、動画ＲＥＣボタンに対応する。また、操作対象物３２４は、撮像装置１００に関する各種設定を行うためのメニュー画面を表示する際に押下される操作対象物である。操作対象物３２４は、例えば、メニューボタンに対応する。
【０１０１】
また、操作対象物３２５は、なぞる操作、決定操作を行う際に用いられる操作対象物である。操作対象物３２５は、例えば、コントロールホイールに相当するものであり、入出力部２４０に表示されるカーソルの移動操作や各種の決定操作を行うことができる。また、操作対象物３２６は、画像の再生を行う際に押下される操作対象物である。
【０１０２】
また、矩形の点線で囲む表示領域３２７には、ライブビュー画像や各種の操作対象物（例えば、アイコン）等が表示される。なお、図９のｂでは、各種の操作対象物（例えば、アイコン）等が表示領域３２７に表示されている例を示す。
【０１０３】
ここで、例えば、撮像装置１００および情報処理装置２００間の距離が閾値未満となっている場合（情報処理装置２００に撮像装置１００が装着されている場合）には、撮像装置１００および情報処理装置２００を一般の撮像装置のように使用することが好ましい。特に、情報処理装置２００に撮像装置１００が装着されている場合には、一般の撮像装置（例えば、一体型カメラ）と比較して違和感がない程度の操作性をユーザが期待することが想定される。そこで、一般の撮像装置（例えば、一体型カメラ）と略同程度の操作部材の配置を行うことが好ましい。そこで、図９のｂでは、一般の撮像装置と略同程度の操作部材の配置を、各操作対象物の表示により実現する例を示す。具体的には、図９のｂに示すように、一般の撮像装置（例えば、デジタルスチルカメラ）の背面側（レンズ側の反対側）に設けられている各操作部材に対応する操作対象物３２１乃至３２６を入出力部２４０に表示させるようにする。
【０１０４】
［情報処理装置の動作例］
図１０は、本技術の第１の実施の形態における情報処理装置２００による表示制御処理の処理手順の一例を示すフローチャートである。図１０では、撮像装置１００および情報処理装置２００間の距離に基づいて、入出力部２４０の表示態様を切り替える例を示す。
【０１０５】
最初に、制御部２５０は、撮像装置１００および情報処理装置２００間の距離を検出する（ステップＳ９０１）。この距離の検出方法については、上述した何れかの方法を用いることができる。
【０１０６】
続いて、制御部２５０は、撮像装置１００および情報処理装置２００間の距離と、閾値とを比較する（ステップＳ９０２）。この閾値として、例えば、数ｃｍ（例えば、１ｃｍ）を用いることができる。この場合には、例えば、撮像装置１００および情報処理装置２００間の距離が閾値未満であれば、情報処理装置２００に撮像装置１００が装着されていると考えることができる。
【０１０７】
続いて、制御部２５０は、撮像装置１００および情報処理装置２００間の距離と閾値との比較結果に変化が生じたか否かを判断する（ステップＳ９０３）。その比較結果に変化が生じた場合は、例えば、その距離が、閾値未満の状態から閾値以上の状態に変化した場合、または、その距離が、閾値以上の状態から閾値未満の状態に変化した場合を意味する。そして、その比較結果に変化が生じていない場合には（ステップＳ９０３）、ステップＳ９０７に進む。
【０１０８】
また、その比較結果に変化が生じた場合には（ステップＳ９０３）、制御部２５０は、その変化後の状態が、撮像装置１００および情報処理装置２００間の距離が閾値以上の状態であるか否かを判断する（ステップＳ９０４）。そして、その変化後の状態が、撮像装置１００および情報処理装置２００間の距離が閾値以上の状態である場合には（ステップＳ９０４）、制御部２５０は、その距離が閾値以上となっている場合の表示画面を入出力部２４０に表示させる（ステップＳ９０５）。例えば、図７のａ、図８のａ、図９のａに示す表示画面が入出力部２４０に表示される。
【０１０９】
一方、その変化後の状態が、撮像装置１００および情報処理装置２００間の距離が閾値未満の状態である場合には（ステップＳ９０４）、制御部２５０は、その距離が閾値未満となっている場合の表示画面を入出力部２４０に表示させる（ステップＳ９０６）。例えば、図７のｂ、図８のｂ、図９のｂに示す表示画面が入出力部２４０に表示される。
【０１１０】
続いて、制御部２５０は、撮像動作の終了指示があったか否かを判断し（ステップＳ９０７）、撮像動作の終了指示がない場合には、ステップＳ９０１に戻り、撮像動作の終了指示があった場合には、表示制御処理の動作を終了する。
【０１１１】
＜２．第２の実施の形態＞
本技術の第１の実施の形態では、撮像装置および情報処理装置間の距離に基づいて表示画面の表示態様を切り替える例を示した。ここで、例えば、撮像装置および情報処理装置間の距離が閾値未満であり、かつ、情報処理装置の入出力部の表示面に撮像装置が装着されている場合を想定する。この場合には、入出力部に表示される表示画面のうち、撮像装置が取り付けられている部分については、ユーザが見ることができない。そこで、このような場合には、その取付位置に基づいて表示画面の表示態様を切り替えることが好ましい。
【０１１２】
そこで、本技術の第２の実施の形態では、撮像装置の取付位置に基づいて表示画面の表示態様を切り替える例を示す。なお、本技術の第２の実施の形態における撮像装置および情報処理装置は、図１乃至図４に示す撮像装置１００および情報処理装置２００と同一である。このため、本技術の第２の実施の形態における各装置については、本技術の第１の実施の形態と同一の符号を付してこれらの説明の一部を省略する。
【０１１３】
［取付位置の判定例］
最初に、撮像装置１００の取付位置を判定する判定方法について説明する。
【０１１４】
［検出部材を用いた判定例］
例えば、撮像装置１００の装着を検出するための検出部材を情報処理装置２００に設ける。例えば、情報処理装置２００の表面（入出力部２４０が設けられている面）および裏面（撮像部２９２が設けられている面）のそれぞれにおける両端部（情報処理装置２００の長手方向の両端部）に検出部材を設ける。この検出部材として、例えば、撮像装置１００の装着を検出するためのスイッチやセンサを用いることができる。そして、その検出部材を用いて、情報処理装置２００の表面および裏面のうちのどの部分に、撮像装置１００が装着されたかを検出することができる。
【０１１５】
［入出力部を用いた判定例］
例えば、入出力部２４０が光センサ方式のタッチパネルである場合には、入出力部２４０の表示面に装着される撮像装置１００の位置およびサイズを検出することができる。また、例えば、入出力部２４０が投影型静電容量方式のタッチパネルである場合でも、上述したように、入出力部２４０の表示面に装着される撮像装置１００の位置およびサイズを検出することができる。例えば、撮像装置１００の装着面１７５（図１のｂに示す）に、投影型静電容量方式のタッチパネルに反応する素材を採用することにより、入出力部２４０の表示面に装着される撮像装置１００の位置およびサイズを検出することができる。
【０１１６】
そこで、制御部２５０は、撮像装置１００および情報処理装置２００間の距離が閾値（例えば、数ｃｍ）未満であるか否かを判断し、その距離が閾値未満である場合には、撮像装置１００が情報処理装置２００に装着されていると判断することができる。この場合には、制御部２５０は、入出力部２４０の表示面における検出状態に基づいて、入出力部２４０の表示面における取付位置を判定することができる。この判定処理の一例を図１１に示す。
【０１１７】
［情報処理装置の動作例］
図１１は、本技術の第２の実施の形態における情報処理装置２００による取付位置判定処理の処理手順の一例を示すフローチャートである。図１１では、撮像装置１００および情報処理装置２００間の距離が閾値（例えば、数ｃｍ）未満である場合には、撮像装置１００が情報処理装置２００に装着されていると判定する例を示す。また、図１１では、入出力部２４０の表示面における取付位置として、入出力部２４０の表示面の左側であるか右側であるかを判定する例を示す。
【０１１８】
最初に、制御部２５０は、撮像装置１００および情報処理装置２００間の距離を検出する（ステップＳ９１１）。この距離の検出方法については、上述した何れかの方法を用いることができる。
【０１１９】
続いて、制御部２５０は、撮像装置１００および情報処理装置２００間の距離と閾値とを比較し、その距離が閾値未満であるか否かを判断する（ステップＳ９１２）。この閾値として、例えば、数ｃｍ（例えば、１ｃｍ）を用いることができる。そして、その距離が閾値以上である場合には（ステップＳ９１２）、制御部２５０は、撮像装置１００は情報処理装置２００に装着されていないと判定する（ステップＳ９１３）。
【０１２０】
また、その距離が閾値未満である場合には（ステップＳ９１２）、制御部２５０は、撮像装置１００は情報処理装置２００に装着されていると判定する。この場合には、制御部２５０は、情報処理装置２００における撮像装置１００の取付位置を判定する。
【０１２１】
具体的には、制御部２５０は、入出力部２４０の表示面に接触している物体の位置およびサイズを取得する（ステップＳ９１４）。続いて、制御部２５０は、その取得された物体のサイズが設定値と同一（または、略同一）であるか否かを判断する（ステップＳ９１５）。この略同一の判断については、誤検出を許容することができる範囲に設定することができる。また、設定値は、例えば、撮像装置１００の装着面１７５（図１のｂに示す）のサイズと同一（または、略同一）の値とすることができる。
【０１２２】
その取得された物体のサイズが設定値と同一（または、略同一）である場合には（ステップＳ９１５）、制御部２５０は、撮像装置１００は入出力部２４０の表示面に装着されていると判定する。この場合には、制御部２５０は、入出力部２４０の表示面における撮像装置１００の取付位置を判定する。
【０１２３】
具体的には、制御部２５０は、その取得された物体の位置（入出力部２４０の表示面に接触している物体の位置）が、入出力部２４０の表示面における左側であるか否かを判断する（ステップＳ９１７）。そして、その取得された物体の位置が、入出力部２４０の表示面における左側である場合には（ステップＳ９１７）、制御部２５０は、撮像装置１００の取付位置は、入出力部２４０の表示面における左側であると判定する（ステップＳ９１８）。一方、その取得された物体の位置が、入出力部２４０の表示面における左側でない場合（右側である場合）には（ステップＳ９１７）、制御部２５０は、撮像装置１００の取付位置は、入出力部２４０の表示面における右側であると判定する（ステップＳ９１９）。
【０１２４】
［表示画面の表示例］
図１２乃至図１４は、本技術の第２の実施の形態における入出力部２４０に表示される表示画面の表示例を示す図である。
【０１２５】
なお、図１２乃至図１４では、図７乃至図９に示す例と同様に、撮像装置１００および情報処理装置２００を用いた撮像動作が行われている場合に、撮像装置１００の撮像部１１０により生成された画像がライブビュー画像として入出力部２４０に表示される例を示す。また、図７乃至図９と同様に、撮像装置１００および情報処理装置２００を用いた撮像動作が行われている場合に、撮像装置１００を操作するための操作対象物を入出力部２４０に表示する例を示す。
【０１２６】
［装着面に応じた操作対象物の表示切替例］
図１２には、情報処理装置２００において撮像装置１００が装着されている面に基づいて操作対象物の表示態様を切り替える例を示す。
【０１２７】
図１２のａには、入出力部２４０の表示面に撮像装置１００が装着されている場合の表示例を示す。例えば、ユーザ本人を撮影する場合や集合写真の撮影を行う場合には、構図確認のため、入出力部２４０の表示面に撮像装置１００を装着して行われることがある。また、図１２のａでは、ライブビュー画像３３０が表示され、ライブビュー画像３３０の周りに複数の操作対象物３０１乃至３０６が表示される例を示す。なお、操作対象物３０１乃至３０６は、図７に示す操作対象物３０１乃至３０６と同一であるため、図１２では、同一の符号を付して示す。
【０１２８】
図１２のｂには、入出力部２４０が設けられている面の反対側の面に撮像装置１００を装着した場合の表示例を示す。図１２のｂは、撮像装置１００の取付部材１７１、１７２を追加した以外は、図７のｂに示す例と同様であるため、図７のｂと同一の符号を付して示す。
【０１２９】
例えば、図１２のａに示すように、入出力部２４０の表示面に撮像装置１００が装着されている場合には、撮像装置１００が装着されている領域に表示されるものをユーザは見ることができない。このため、入出力部２４０の表示面に撮像装置１００が装着されている場合には、撮像装置１００の装着されている領域以外の領域に、表示対象となる各情報を表示する。すなわち、入出力部２４０の表示面に撮像装置１００が装着されている場合には、入出力部２４０の表示面において、撮像装置１００により覆われる領域が発生するため、撮像装置１００に覆われていない領域に表示対象となる各情報を表示する。
【０１３０】
例えば、図１２のａに示すように、制御部２５０は、ライブビュー画像３３０を縮小して表示させる。また、制御部２５０は、複数の操作対象物３０１乃至３０６の配置およびサイズを変更して表示させる。
【０１３１】
［表示面における取付位置に応じた操作対象物の表示切替例］
図１３および図１４には、入出力部２４０の表示面において撮像装置１００が装着されている位置に基づいて操作対象物の表示態様を切り替える例を示す。なお、図１４には、図１３に対応する入出力部２４０の表示面の全体を示す。
【０１３２】
図１３のａには、入出力部２４０の表示面における左側の位置に撮像装置１００が装着されている場合の表示例を示す。なお、図１３のａに示す例は、図１２のａと同一である。また、図１４のａには、図１３のａに対応する表示例を示す。
【０１３３】
図１３のｂには、入出力部２４０の表示面における右側の位置に撮像装置１００が装着されている場合の表示例を示す。なお、図１３のｂに示す例は、ライブビュー画像３３０および複数の操作対象物３０１乃至３０６の表示位置が変更されている点以外は、図１３のａと同様である。このため、図１３のａと同一の符号を付して示す。また、図１４のｂには、図１３のｂに対応する表示例を示す。
【０１３４】
［情報処理装置の動作例］
図１５は、本技術の第２の実施の形態における情報処理装置２００による表示制御処理の処理手順の一例を示すフローチャートである。図１５では、情報処理装置２００において撮像装置１００が装着されている位置に基づいて、入出力部２４０の表示態様を切り替える例を示す。また、図１５では、情報処理装置２００に撮像装置１００が装着されていることが判断された場合における例を示す。
【０１３５】
最初に、制御部２５０は、情報処理装置２００における撮像装置１００の取付位置を検出する（ステップＳ９２１）。この取付位置の検出方法については、上述した何れかの方法を用いることができる。
【０１３６】
続いて、制御部２５０は、情報処理装置２００における撮像装置１００の取付位置に変化が生じたか否かを判断する（ステップＳ９２２）。その取付位置に変化が生じた場合は、例えば、その取付位置が、入出力部２４０の表示面において移動した場合や、その取付位置が他の面に変化した場合（例えば、入出力部２４０が設けられている面から、反対側の面に移動した場合）を意味する。そして、その取付位置に変化が生じていない場合には（ステップＳ９２２）、ステップＳ９２８に進む。
【０１３７】
また、その取付位置に変化が生じた場合には（ステップＳ９２２）、制御部２５０は、撮像装置１００の取付位置が情報処理装置２００の表示面（入出力部２４０の面）であるか否かを判断する（ステップＳ９２３）。そして、撮像装置１００の取付位置が情報処理装置２００の表示面でない場合には（ステップＳ９２３）、制御部２５０は、撮像装置１００の取付位置が情報処理装置２００の裏側の場合の表示画面を入出力部２４０に表示させる（ステップＳ９２４）。例えば、図１２のａに示す表示画面が入出力部２４０に表示される。
【０１３８】
撮像装置１００の取付位置が情報処理装置２００の表示面である場合には（ステップＳ９２３）、制御部２５０は、撮像装置１００の取付位置が入出力部２４０の表示面における左側であるか否かを判断する（ステップＳ９２５）。
【０１３９】
撮像装置１００の取付位置が入出力部２４０の表示面における左側である場合には（ステップＳ９２５）、制御部２５０は、撮像装置１００の取付位置が入出力部２４０の表示面における左側の場合の表示画面を入出力部２４０に表示させる（ステップＳ９２６）。例えば、図１４のａに示す表示画面が入出力部２４０に表示される。
【０１４０】
撮像装置１００の取付位置が入出力部２４０の表示面における右側である場合には（ステップＳ９２５）、制御部２５０は、撮像装置１００の取付位置が入出力部２４０の表示面における右側の場合の表示画面を入出力部２４０に表示させる（ステップＳ９２７）。例えば、図１４のｂに示す表示画面が入出力部２４０に表示される。
【０１４１】
なお、本技術の第２の実施の形態では、撮像装置１００の取付位置として、入出力部２４０の表示面における両側の何れであるか（左側、右側）を判定する例を示した。ただし、例えば、撮像装置１００の取付位置として、入出力部２４０の表示面における３以上の領域のうちの何れであるかを判定するようにしてもよい。この場合には、撮像装置１００の取付位置を避けるように、ライブビュー画像や操作対象物を表示するようにする。
【０１４２】
＜３．第３の実施の形態＞
本技術の第１および第２の実施の形態では、撮像装置および情報処理装置間の距離や、撮像装置の取付位置に基づいて表示画面の表示態様を切り替える例を示した。ここで、本技術の第１および第２の実施の形態に示す情報処理装置は、上述したように、情報処理装置の姿勢に基づいて表示画面の表示態様を切り替えることが可能である。例えば、情報処理装置が横長状態（情報処理装置の長手方向が水平方向に略平行となっている状態）であるか、縦長状態（情報処理装置の長手方向が重力方向に略平行となっている状態）であるかに応じて、表示画面の表示態様を切り替えることができる。しかしながら、例えば、撮像装置が情報処理装置に装着されている状態で撮像動作を行う場合には、撮像装置および情報処理装置が離れている状態で撮像動作を行う場合と比較して撮像装置および情報処理装置の使用態様が異なることが想定される。このため、撮像装置および情報処理装置を用いて撮像動作を行う場合には、その使用態様に応じて適切なユーザインターフェースを提供することが重要である。
【０１４３】
そこで、本技術の第３の実施の形態では、撮像装置および情報処理装置の装着の有無に基づいて、情報処理装置の姿勢の変化に基づく表示態様の切り替えを制御する例を示す。
【０１４４】
［撮像装置および情報処理装置の機能構成例］
図１６は、本技術の第３の実施の形態における撮像装置１０１および情報処理装置２００の機能構成例を示すブロック図である。なお、情報処理装置２００は、図４に示す情報処理装置２００と同様である。また、撮像装置１０１は、図４に示す撮像装置１００の変形例である。このため、図４に示す撮像装置１００および情報処理装置２００と共通する部分については、同一の符号を付してこれらの説明の一部を省略する。
【０１４５】
撮像装置１０１は、姿勢検出部１８０を備える。
【０１４６】
姿勢検出部１８０は、撮像装置１０１の加速度、動き、傾き等を検出することにより撮像装置１０１の姿勢の変化を検出するものであり、検出された姿勢の変化に関する姿勢情報を制御部１４０に出力する。例えば、姿勢検出部１８０は、撮像装置１０１の光軸方向を回転軸とした場合における回転角度を、撮像装置１０１の姿勢の変化として検出することができる。なお、姿勢検出部１８０として、例えば、ジャイロセンサ、加速度センサ等の各種センサを用いることができる。
【０１４７】
制御部１４０は、姿勢検出部１８０から出力された姿勢情報を、無線通信部１５０を介して情報処理装置２００に送信する。これにより、情報処理装置２００の制御部２５０は、撮像装置１０１の姿勢を把握することができる。このため、制御部２５０は、例えば、撮像部１１０により生成された画像をライブビュー画像として入出力部２４０に表示する場合に、撮像装置１０１の姿勢に基づいて、その表示態様を変更することができる。この表示態様の変更例を図１８乃至図２０に示す。
【０１４８】
［近距離無線通信を用いて撮像装置の装着を検出する例］
ここで、上述した装着の検出方法以外の他の検出方法について説明する。例えば、近距離無線通信を用いて撮像装置１０１の情報処理装置２００への装着を検出することができる。ここでは、近距離無線通信として、ＮＦＣ（Near Field Communication）を用いる例を示す。
【０１４９】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【０１５０】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、１乃至１０ｃｍ程度である。そこで、Ｐｏｌｌｉｎｇ  Ｒｅｓｐｏｎｃｅがある場合には、情報処理装置２００の制御部２５０は、撮像装置１０１が情報処理装置２００に装着されたと判断することができる。
【０１５１】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１０１が情報処理装置２００に装着されていないと判断することができる。
【０１５２】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた装着の検出を行うことにより、その検出を行うためのハードウエアを新たに設ける必要がない。これにより、情報処理装置の製造コストを低減させることができる。
【０１５３】
ここで、例えば、撮像装置が情報処理装置に装着されずに、撮像装置および情報処理装置が近接しているような場合も想定される。このような場合に、ＮＦＣ以外の近距離無線通信を利用して装着検出をすると、撮像装置が装着されていると誤検出されてしまうおそれがある。そこで、本技術の実施の形態では、近距離無線通信としてＮＦＣを利用する。これにより、撮像装置の装着検出の精度を高めることができる。
【０１５４】
［Ｃｈｅｃｋ  ＣｏｍｍａｎｄおよびＣｈｅｃｋ  Ｒｅｓｐｏｎｃｅを用いて撮像装置の装着を検出する例］
以上では、ＮＦＣを用いて撮像装置の装着を検出する例を示した。このように、ＮＦＣを用いて撮像装置の装着を検出する場合には、Ｃｈｅｃｋ  ＣｏｍｍａｎｄおよびＣｈｅｃｋ  Ｒｅｓｐｏｎｃｅを用いて撮像装置の装着を検出するようにしてもよい。
【０１５５】
例えば、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１０１が情報処理装置２００に装着されていると判断することができる。ここで、特定情報は、撮像装置１０１を特定するための情報（識別情報）である。また、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【０１５６】
例えば、上述したように、Ｐｏｌｌｉｎｇ  Ｃｏｍｍａｎｄの発行、Ｐｏｌｌｉｎｇ  Ｃｏｍｍａｎｄに対する応答（Ｐｏｌｌｉｎｇ  Ｒｅｓｐｏｎｃｅ）のやりとりが行われる。
【０１５７】
そして、Ｐｏｌｌｉｎｇ  Ｒｅｓｐｏｎｃｅを受信すると、情報処理装置２００の制御部２５０は、Ｃｈｅｃｋ  Ｃｏｍｍａｎｄを送信する。このＣｈｅｃｋ  Ｃｏｍｍａｎｄを受信すると、撮像装置１０１の制御部１４０は、Ｃｈｅｃｋ  Ｃｏｍｍａｎｄに対する応答（Ｃｈｅｃｋ  Ｒｅｓｐｏｎｃｅ）を送信する。この場合に、撮像装置１０１の制御部１４０は、特定情報（撮像装置１０１を特定するための情報（識別情報））をＣｈｅｃｋ  Ｒｅｓｐｏｎｃｅに含めて送信する。
【０１５８】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１０１を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【０１５９】
このように、撮像装置１０１の制御部１４０は、特定情報をＣｈｅｃｋ  Ｒｅｓｐｏｎｃｅに含めて送信する。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１０１であることを把握することができる。すなわち、Ｃｈｅｃｋ  Ｒｅｓｐｏｎｃｅを送信した装置が、「ＡＡＡ」会社製のレンズスタイルのカメラ（撮像装置１０１）であることを把握することができる。
【０１６０】
Ｃｈｅｃｋ  Ｒｅｓｐｏｎｃｅを受信すると、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１０１が装着されていると判定する。一方、情報処理装置２００の制御部２５０は、Ｃｈｅｃｋ  Ｒｅｓｐｏｎｃｅに特定情報が含まれていない場合には、撮像装置１０１が装着されていないと判定する。
【０１６１】
なお、この検出方法は、一例であり、これらに限定されるものではなく、他の検出方法を用いるようにしてもよい。
【０１６２】
［撮像装置の姿勢と撮像画像との関係例］
図１７は、本技術の第３の実施の形態における撮像装置１０１の姿勢と撮像部１１０により生成される撮像画像との関係例を示す図である。
【０１６３】
図１７のａには、撮像装置１０１が通常の姿勢である場合に撮像部１１０により生成される撮像画像５０１を示す。ここで、通常の姿勢は、例えば、図１７のａ（図１のａおよびｂ）に示すように、取付部材１７１が垂直方向の上側となり、取付部材１７２が垂直方向の下側となっている姿勢を意味するものとする。このように、撮像装置１０１の姿勢が通常の姿勢である場合には、横長形状（水平方向に長い形状）の撮像画像５０１が生成される。
【０１６４】
図１７のｂには、撮像装置１０１の光軸方向を回転軸として、図１７のａに示す姿勢の撮像装置１０１を９０度回転させた場合に、撮像部１１０により生成される撮像画像５０２を示す。すなわち、図１７のａに示す姿勢の撮像装置１０１を矢印５１１の方向に９０度回転させた場合に撮像部１１０により生成される撮像画像５０２を示す。この場合には、縦長形状（垂直方向に長い形状）の撮像画像５０２が生成される。
【０１６５】
図１７のｃには、撮像装置１０１の光軸方向を回転軸として、図１７のａに示す姿勢の撮像装置１０１を１８０度回転させた場合に、撮像部１１０により生成される撮像画像５０３を示す。すなわち、図１７のａに示す姿勢の撮像装置１０１を矢印５１２の方向に１８０度回転させた場合に撮像部１１０により生成される撮像画像５０３を示す。この場合には、横長形状（水平方向に長い形状）の撮像画像５０３が生成される。ただし、撮像画像５０３に含まれる被写体は、図１７のａに示す撮像画像５０１に含まれる被写体が１８０度回転したものとなる。
【０１６６】
［ライブビュー画像および操作対象物の遷移例］
図１８は、本技術の第３の実施の形態における入出力部２４０に表示されるライブビュー画像および操作対象物の遷移例を示す図である。図１８では、図１７のａに示す姿勢となるように撮像装置１０１を設置した場合に撮像部１１０により生成される撮像画像をライブビュー画像として表示する例を示す。
【０１６７】
図１８のａには、情報処理装置２００の長手方向が水平方向（重力方向と垂直な方向）と略同一となる場合におけるライブビュー画像５２０および操作対象物５２１乃至５２７の表示例を示す。また、図１８のｂには、情報処理装置２００の長手方向が垂直方向（重力方向と平行な方向）と略同一となる場合におけるライブビュー画像５３０および操作対象物５３１乃至５３７の表示例を示す。なお、図１８のａに示す操作対象物５２１乃至５２４、５２６、５２７と、図１８のｂに示す操作対象物５３１乃至５３４、５３６、５３７とは、図８のａおよびｂに示す操作対象物３１１乃至３１５、３１７に対応する。また、図１８のａに示す操作対象物５２５および図１８のｂに示す操作対象物５３５は、図７のａおよびｂに示す操作対象物３０５、３０６に対応する。
【０１６８】
制御部２５０は、姿勢検出部２１０から出力される姿勢情報に基づいて、情報処理装置２００の姿勢を判断する。そして、制御部２５０は、図１８のａに示すように、情報処理装置２００の長手方向が水平方向と略同一となる場合には、ライブビュー画像５２０および操作対象物５２１乃至５２７を表示させる。一方、制御部２５０は、図１８のｂに示すように、情報処理装置２００の長手方向が垂直方向と略同一となる場合には、ライブビュー画像５３０および操作対象物５３１乃至５３７を表示させる。この場合に、制御部２５０は、図１８のａに示すライブビュー画像５２０の横幅（水平方向のサイズ）が、入出力部２４０の表示面に合うように、ライブビュー画像５２０を縮小してライブビュー画像５３０として表示させる。
【０１６９】
また、図１８のａに示す情報処理装置２００を、入出力部２４０の表示面に直交する軸を回転軸として１８０度回転させた場合における表示例については、図１９のｄに示す。また、図１８のｂに示す情報処理装置２００を、入出力部２４０の表示面に直交する軸を回転軸として１８０度回転させた場合における表示例については、図１９のｃに示す。
【０１７０】
［表示画面の表示例］
図１９および図２０は、本技術の第３の実施の形態における入出力部２４０に表示される表示画面の表示例を示す図である。図１９および図２０では、撮像装置１０１が情報処理装置２００に装着されていない場合における表示画面の表示例を示す。
【０１７１】
図１９のａ乃至ｄには、図１７のａに示す姿勢となるように撮像装置１０１を設置した場合に撮像部１１０により生成される撮像画像をライブビュー画像として表示する表示画面の遷移例を示す。この場合には、撮像装置１０１の上下方向と、情報処理装置２００の入出力部２４０に表示されるライブビュー画像の上下方向とが同一となるように、ライブビュー画像が表示される。ここで、撮像装置１０１の上下方向は、取付部材１７１、１７２を結ぶ方向を意味し、撮像装置１０１の左右方向は、例えば、その上下方向に直交する方向を意味するものとする。なお、図１９のａは、図１８のｂに対応し、図１９のｂは、図１８のａに対応する。
【０１７２】
例えば、図１９のａ乃至ｄに示すように、情報処理装置２００の入出力部２４０における表示面に直交する直交方向を回転軸として情報処理装置２００を回転させることにより情報処理装置２００の姿勢を変化させる。このように、情報処理装置２００の姿勢を変化させた場合には、その姿勢の変化に基づいて、撮像装置１０１の上下方向とライブビュー画像の上下方向とが同一となるように、入出力部２４０に表示されるライブビュー画像の表示態様が変更される。また、情報処理装置２００の姿勢の変化に基づいて、各操作対象物の表示態様が変更される。
【０１７３】
また、図１７のｃに示す姿勢となるように撮像装置１０１を設置した場合に撮像部１１０により生成される撮像画像をライブビュー画像として表示する場合についても、図１９のａ乃至ｄに示す表示画面の遷移例と同様となる。この場合には、撮像装置１０１の上下方向の上側と、情報処理装置２００の入出力部２４０に表示されるライブビュー画像の上下方向の上側とが反対になるように、ライブビュー画像が表示される。すなわち、図１７のａおよびｃの何れかの姿勢で撮像装置１０１を設置した場合でも、情報処理装置２００の入出力部２４０には、ライブビュー画像に含まれる被写体の上下方向が正しくなるようにライブビュー画像を表示することができる。
【０１７４】
図２０のａ乃至ｄには、図１７のｂに示す姿勢となるように撮像装置１０１を設置した場合に撮像部１１０により生成される撮像画像をライブビュー画像として表示する表示画面の遷移例を示す。この場合には、撮像装置１０１の左右方向と、情報処理装置２００の入出力部２４０に表示されるライブビュー画像の上下方向とが同一となるように、ライブビュー画像が表示される。
【０１７５】
例えば、図１９のａ乃至ｄに示す例と同様に、情報処理装置２００の姿勢を変化させた場合には、その姿勢の変化に基づいて、撮像装置１０１の左右方向とライブビュー画像の上下方向とが同一となるように、ライブビュー画像の表示態様が変更される。また、情報処理装置２００の姿勢の変化に基づいて、各操作対象物の表示態様が変更される。
【０１７６】
また、撮像装置１０１の光軸方向を回転軸として、図１７のｂに示す姿勢の撮像装置１０１を１８０度回転させた場合に撮像部１１０により生成される撮像画像をライブビュー画像として表示する場合についても、図２０に示す表示画面の遷移例と同様となる。すなわち、撮像装置１０１を９０度回転させて設置した場合（例えば、図１７のｂに示す姿勢で撮像装置１０１を設置した場合）でも、ライブビュー画像に含まれる被写体の上下方向が正しくなるようにライブビュー画像を表示することができる。
【０１７７】
このように、撮像装置１０１が情報処理装置２００に装着されていない場合には、情報処理装置２００の姿勢の変化に基づいて、ライブビュー画像および操作対象物の表示態様を変更することができる。しかしながら、撮像装置１０１が情報処理装置２００に装着されている場合には、ユーザは、撮像装置１０１および情報処理装置２００がどのような姿勢であっても、同一の持ち方で撮像装置１０１および情報処理装置２００を保持していることが想定される。このため、情報処理装置２００の姿勢の変化に基づいて、ライブビュー画像および操作対象物の表示態様を変更してしまうと、ユーザが操作し難いことも想定される。そこで、本技術の第３の実施の形態では、撮像装置１０１が情報処理装置２００に装着されている場合には、情報処理装置２００の姿勢の変化に基づくライブビュー画像および操作対象物の表示態様の変更を行わない。
【０１７８】
［撮像装置装着時の表示例］
図２１は、本技術の第３の実施の形態における入出力部２４０に表示される表示画面の表示例を示す図である。図２１では、撮像装置１０１が情報処理装置２００に装着されている場合における表示画面の表示例を示す。また、図２１では、入出力部２４０に表示される操作対象物を用いて撮像装置１０１の各操作をユーザが行う場合における表示画面の表示例を示す。
【０１７９】
図２１のａに示す例は、取付部材１７１、１７２が情報処理装置２００に装着されている点以外は、図１８のａと同様である。このため、図１８のａと共通する部分には、同一の符号を付して示す。
【０１８０】
図２１のｂには、図２１のａに示す情報処理装置２００を、入出力部２４０の表示面に直交する軸を回転軸として９０度回転させた場合（矢印５５０の方向に９０度回転させた場合）における表示例を示す。なお、図２１のｂに示す例は、ライブビュー画像５２０の代わりにライブビュー画像５４０が表示される点以外は、図２１のａと同様である。このため、図２１のａと共通する部分には、同一の符号を付して示す。
【０１８１】
このように、撮像装置１０１が情報処理装置２００に装着されている場合には、情報処理装置２００の姿勢が変化した場合でも、入出力部２４０に表示される操作対象物の表示態様を変更しない。これにより、撮像装置１０１および情報処理装置２００の姿勢にかかわらず同一の表示態様で操作対象物が表示される。
【０１８２】
また、撮像装置１０１が情報処理装置２００に装着されている場合には、撮像装置１０１の姿勢が変化した場合でも、入出力部２４０に表示されるライブビュー画像の表示態様を変更しない。これにより、撮像装置１０１および情報処理装置２００の姿勢にかかわらず同一の表示態様でライブビュー画像を確認することができる。
【０１８３】
例えば、図２１のａに示す状態で、撮像装置１０１および情報処理装置２００を保持しているユーザが右手の親指で操作対象物５２７の操作（ズーム操作）をする場合を想定する。この場合に、例えば、図２１のｂに示す姿勢となった場合でも、撮像装置１０１および情報処理装置２００を保持しているユーザが右手の親指で操作対象物５２７の操作（ズーム操作）をすることができる。これにより、ユーザは、撮像装置１０１および情報処理装置２００がどのような姿勢のときでも、右手の親指でズーム操作を容易に行うことができる。
【０１８４】
また、例えば、図２１のａに示す状態で、撮像装置１０１および情報処理装置２００を保持しているユーザが右手の親指で操作対象物５２２の操作（シャッター操作）をする場合を想定する。この場合に、例えば、図２１のｂに示す姿勢となった場合でも、撮像装置１０１および情報処理装置２００を保持しているユーザが右手の親指で操作対象物５２２の操作（シャッター操作）をすることができる。これにより、ユーザは、撮像装置１０１および情報処理装置２００がどのような姿勢のときでも、右手の親指でシャッター操作を容易に行うことができる。
【０１８５】
このように、撮像装置１０１および情報処理装置２００の装着時には、入出力部２４０に表示される操作対象物およびライブビュー画像の表示態様を変更しない。これにより、情報処理装置２００の姿勢が変化する毎に、ズーム操作やシャッター操作を行うための操作対象物の位置が変化することにより、ユーザが操作し難く感じることを防止することができる。また、情報処理装置２００の姿勢が変化する毎に、ライブビュー画像が変化することにより、ユーザが被写体の確認をし難く感じることを防止することができる。すなわち、撮像動作時における操作性を向上させることができる。
【０１８６】
なお、ここでは、撮像装置１０１および情報処理装置２００の装着時には、全ての操作対象物の表示態様を変更しない例を示した。ただし、撮像装置１０１および情報処理装置２００の装着時には、一部の操作対象物（例えば、撮像動作中にほとんど使用しない操作対象物）の表示態様については変更するようにしてもよい。この場合に、他の操作対象物（例えば、撮像動作中に頻繁に使用する操作対象物）については変更しないようにする。また、例えば、少なくとも１つの操作対象物については、その位置を変更せずに、その向きのみを変更するようにしてもよい。例えば、操作対象物５２２については、入出力部２４０の表示面における位置を変更せずに、情報処理装置２００の姿勢の変化に基づいてその向きを変更するようにしてもよい。例えば、情報処理装置２００の姿勢の変化に基づいて、操作対象物５２２のカメラマークが上向きとなるように変更することができる。また、操作対象物の表示態様の変更の有無を操作対象物毎にユーザが設定しておき、この設定内容に基づいて変更の有無を判断するようにしてもよい。
【０１８７】
［情報処理装置の動作例］
図２２は、本技術の第３の実施の形態における情報処理装置２００による表示制御処理の処理手順の一例を示すフローチャートである。図２２では、撮像装置１０１および情報処理装置２００の装着の有無に基づいて、情報処理装置２００の姿勢の変化に基づく表示態様の切り替えをするか否かを制御する例を示す。
【０１８８】
最初に、制御部２５０は、ライブビュー画像および操作対象物を含む表示画面を入出力部２４０に表示させる（ステップＳ９３１）。例えば、図１８のａに示す表示画面が入出力部２４０に表示される。
【０１８９】
続いて、制御部２５０は、姿勢検出部２１０からの姿勢情報に基づいて、情報処理装置２００の姿勢の変化を検出する（ステップＳ９３２）。そして、制御部２５０は、その変化が閾値以上であるか否かを判断する（ステップＳ９３３）。例えば、図１８乃至図２０に示すように、入出力部２４０の表示面に直交する軸を回転軸として所定角以上回転した場合には、その変化が閾値以上であると判断される。そして、その変化が閾値未満である場合には（ステップＳ９３３）、ステップＳ９３６に進む。
【０１９０】
また、その変化が閾値以上である場合には（ステップＳ９３３）、制御部２５０は、撮像装置１０１が情報処理装置２００に装着されているか否かを判断する（ステップＳ９３４）。そして、撮像装置１０１が情報処理装置２００に装着されている場合には（ステップＳ９３４）、ステップＳ９３６に進む。また、撮像装置１０１が情報処理装置２００に装着されていない場合には（ステップＳ９３４）、制御部２５０は、情報処理装置２００の姿勢に基づいて、ライブビュー画像および操作対象物を変更して入出力部２４０に表示させる（ステップＳ９３５）。例えば、図１８乃至図２０に示すように、ライブビュー画像および操作対象物が変更されて入出力部２４０に表示される。
【０１９１】
続いて、制御部２５０は、撮像動作の終了指示があったか否かを判断し（ステップＳ９３６）、撮像動作の終了指示がない場合には、ステップＳ９３１に戻り、撮像動作の終了指示があった場合には、表示制御処理の動作を終了する。
【０１９２】
このように、制御部２５０は、撮像装置１０１を操作するための操作対象物を含む表示画面を入出力部２４０に表示させる。そして、制御部２５０は、撮像装置１０１が情報処理装置２００に装着されていない場合には、情報処理装置２００の姿勢の変化に基づいてライブビュー画像および操作対象物の表示態様を変更する制御を行う。一方、制御部２５０は、撮像装置１０１が情報処理装置２００に装着されている場合には、情報処理装置２００の姿勢の変化に基づくライブビュー画像および操作対象物の表示態様の変更を行わないように制御を行う。
【０１９３】
なお、本技術の第１および第２の実施の形態で示した表示制御処理（撮像装置および情報処理装置間の距離や、撮像装置の取付位置に基づく表示画面の表示態様の切り替え）を、図２２に示す表示制御処理に組み合わせて行うようにしてもよい。
【０１９４】
このように、本技術の実施の形態によれば、撮像装置１００、１０１および情報処理装置２００の使用態様に応じた適切なユーザインターフェースを提供することができる。
【０１９５】
なお、本技術の実施の形態では、円筒形（円柱形）の撮像装置１００、１０１を例にして説明したが、他の装置に取り付けることが可能な他の形状の撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１９６】
また、本技術の実施の形態では、撮像装置および情報処理装置の関係を例にして説明したが、他の装置間についても本技術の実施の形態を適用することができる。例えば、静止画撮影の際に使用される発光装置および撮像装置（例えば、デジタルスチルカメラ）についても、本技術の実施の形態を適用することができる。また、動画撮影の際に使用される集音装置（例えば、マイク）および撮像装置（例えば、カメラ一体型レコーダ）についても、本技術の実施の形態を適用することができる。また、動画再生の際に使用される音声出力装置（例えば、スピーカ）および撮像装置（例えば、カメラ一体型レコーダ）についても、本技術の実施の形態を適用することができる。
【０１９７】
また、例えば、集音装置（例えば、マイク）および情報処理装置についても、本技術の実施の形態を適用することができる。また、動画再生の際に使用される音声出力装置（例えば、スピーカ）および情報処理装置についても、本技術の実施の形態を適用することができる。すなわち、本技術の実施の形態は、他の装置との相対的な位置関係に基づいて他の装置を操作するための表示画面の表示態様を切り替える制御を行う制御部を具備する情報処理装置（電子機器）の例として把握することができる。
【０１９８】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１９９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２００】
なお、本明細書に記載された効果はあくまで例示であって、限定されるものではなく、また、他の効果があってもよい。
【０２０１】
なお、本技術は以下のような構成もとることができる。
（１）
撮像装置との相対的な位置関係に基づいて前記撮像装置を操作するための表示画面の表示態様を切り替える制御を行う制御部を具備する情報処理装置。
（２）
前記制御部は、前記情報処理装置および前記撮像装置間の距離に基づいて前記表示画面の表示態様を切り替える制御を行う前記（１）に記載の情報処理装置。
（３）
前記制御部は、前記撮像装置が前記情報処理装置に装着されているか否かに基づいて前記表示画面の表示態様を切り替える制御を行う前記（１）に記載の情報処理装置。
（４）
前記制御部は、前記撮像装置が前記情報処理装置の表示面に装着されているか否かに基づいて前記表示画面の表示態様を切り替える制御を行う前記（３）に記載の情報処理装置。
（５）
前記制御部は、前記撮像装置が前記情報処理装置の表示面に装着されている場合には、前記情報処理装置の表示面における前記撮像装置の位置に基づいて前記表示画面の表示態様を切り替える制御を行う前記（４）に記載の情報処理装置。
（６）
前記制御部は、前記撮像装置を操作するための操作対象物を含む前記表示画面を表示させ、前記相対的な位置関係に基づいて前記操作対象物の表示態様を変更する制御を行う前記（１）から（５）のいずれかに記載の情報処理装置。
（７）
前記制御部は、前記撮像装置を操作するための操作対象物を含む前記表示画面を表示させ、前記撮像装置が前記情報処理装置に装着されていない場合には、前記情報処理装置の姿勢の変化に基づいて前記操作対象物の表示態様を変更し、前記撮像装置が前記情報処理装置に装着されている場合には、前記情報処理装置の姿勢の変化に基づく前記操作対象物の表示態様の変更を行わないように制御を行う前記（１）から（６）のいずれかに記載の情報処理装置。
（８）
撮像装置および情報処理装置の相対的な位置関係に基づいて表示態様が切り替えられる表示画面が表示される前記情報処理装置において行われる操作入力に基づいて撮像動作に関する制御を行う制御部を具備する撮像装置。
（９）
前記情報処理装置および前記撮像装置間の距離に基づいて前記表示画面の表示態様が切り替えられる前記（８）に記載の撮像装置。
（１０）
前記撮像装置が前記情報処理装置に装着されているか否かに基づいて前記表示画面の表示態様が切り替えられる前記（８）に記載の撮像装置。
（１１）
前記撮像装置が前記情報処理装置の表示面に装着されているか否かに基づいて前記表示画面の表示態様が切り替えられる前記（１０）に記載の撮像装置。
（１２）
前記撮像装置が前記情報処理装置の表示面に装着されている場合には、前記情報処理装置の表示面における前記撮像装置の位置に基づいて前記表示画面の表示態様が切り替えられる前記（１１）に記載の撮像装置。
（１３）
前記情報処理装置は、前記撮像装置を操作するための操作対象物を含む前記表示画面を表示させ、前記相対的な位置関係に基づいて前記操作対象物の表示態様を変更する前記（８）から（１２）のいずれかに記載の撮像装置。
（１４）
前記情報処理装置は、前記撮像装置を操作するための操作対象物を含む前記表示画面を表示させ、前記撮像装置が前記情報処理装置に装着されていない場合には、前記情報処理装置の姿勢の変化に基づいて前記操作対象物の表示態様を変更し、前記撮像装置が前記情報処理装置に装着されている場合には、前記情報処理装置の姿勢の変化に基づく前記操作対象物の表示態様の変更を行わない前記（８）から（１３）のいずれかに記載の撮像装置。
（１５）
無線通信を利用して情報処理装置と接続されて前記情報処理装置において行われる操作入力に基づいて撮像動作に関する制御が行われる撮像装置と、
前記撮像装置との相対的な位置関係に基づいて前記撮像装置を操作するための表示画面の表示態様を切り替える制御を行う情報処理装置と
を具備する撮像システム。
（１６）
撮像装置との相対的な位置関係に基づいて前記撮像装置を操作するための表示画面の表示態様を切り替える制御を行う情報処理装置の制御方法。
（１７）
撮像装置および情報処理装置の相対的な位置関係に基づいて表示態様が切り替えられる表示画面が表示される前記情報処理装置において行われる操作入力に基づいて撮像動作に関する制御を行う撮像装置の制御方法。
（１８）
撮像装置との相対的な位置関係に基づいて前記撮像装置を操作するための表示画面の表示態様を切り替える制御をコンピュータに実行させるプログラム。
（１９）
撮像装置および情報処理装置の相対的な位置関係に基づいて表示態様が切り替えられる表示画面が表示される前記情報処理装置において行われる操作入力に基づいて撮像動作に関する制御をコンピュータに実行させるプログラム。
【符号の説明】
【０２０２】
１００、１０１  撮像装置
１１０  撮像部
１２０  画像処理部
１３０  記憶部
１４０  制御部
１５０  無線通信部
１６０  鏡筒
１７１  取付部材
１７２  取付部材
１７５  装着面
１８０  姿勢検出部
２００  情報処理装置
２１０  姿勢検出部
２２０  操作受付部
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
0006447505.tif 000002
【図２】
0006447505.tif 000003
【図３】
0006447505.tif 000004
【図４】
0006447505.tif 000005
【図５】
0006447505.tif 000006
【図６】
0006447505.tif 000007
【図７】
0006447505.tif 000008
【図８】
0006447505.tif 000009
【図９】
0006447505.tif 000010
【図１０】
0006447505.tif 000011
【図１１】
0006447505.tif 000012
【図１２】
0006447505.tif 000013
【図１３】
0006447505.tif 000014
【図１４】
0006447505.tif 000015
【図１５】
0006447505.tif 000016
【図１６】
0006447505.tif 000017
【図１７】
0006447505.tif 000018
【図１８】
0006447505.tif 000019
【図１９】
0006447505.tif 000020
【図２０】
0006447505.tif 000021
【図２１】
0006447505.tif 000022
【図２２】
0006447505.tif 000023